(57)【要約】【課題】本発明は、基板実装ケースの筒状ケースへの着脱を従来と比べて著しく容易でかつ短時間でなし得ることを課題とする。【解決手段】固定用端子１８とストッパー係止用開口部１９が形成された筒状ケース１２と、筒状ケース１２の内側に脱着自在に挿着され，挿着時に開口部１９と係止するストッパーを有し、光送受信用コネクターを有する基板実装ケース１３と、基板実装ケース１３に取り付けられた回路基板と、基板実装ケース１３に取り付けられ、基板実装ケース１３を筒状ケース１２から取り外す際ストッパーを開口部１９から解除する爪を有するスライド板と、スライド板に連結するレバー１６を具備し、基板実装ケース１３を筒状ケース１２に完全に挿着したときストッパー２２が開口部１９と係止してロックされ、レバー１６を引いたときにスライド板の爪によりストッパーが開口部１９から解放され、基板実装ケース１３が筒状ケース１２から取り出されることを特徴とする。【選択図】    図１
2005033542.tif 000002
【特許請求の範囲】
【請求項１】
光通信ネットワークとして光信号を電気信号へあるいは電気信号を光信号へ変換する際に使用される光通信用トランシーバーにおいて、
下端部に複数の固定用端子を有し、長手方向に沿う一端側の下端面にストッパー係止用開口部が形成された筒状ケースと、
前記筒状ケースの内側に脱着自在に挿着され，下部に挿着時に前記開口部と係止するストッパーを有するとともに、光ケーブル脱着側に光送受信用のコネクターを有する基板実装ケースと、
前記基板実装ケースに取り付けられ，光信号から電気信号及び電気信号から光信号への変換を行う機能を有する回路基板と、
前記基板実装ケースの長手方向に沿う一端側の下部底面にスライド自在に取り付けられ、基板実装ケースを筒状ケースから取り外す際に前記ストッパーを前記開口部から解除する爪を有するスライド板と、
このスライド板に連結するレバーとを具備し、
基板実装ケースを筒状ケースに完全に挿着したときに前記ストッパーが開口部と係止してロックされ、レバーを引いたときにスライド板の爪によりストッパーが開口部から解放されるとともに基板実装ケースが筒状ケースから取り出されることを特徴とする光通信用トランシーバー。
【請求項２】
前記スライド板に取り付けられ，レバーを引いて基板実装ケースを筒状ケースから引き出すときに押圧され、レバーを引く力をフリーにしたとき付勢力によりスライド板を元の位置に戻すバネを備えていることを特徴とする請求項１記載の光通信用トランシーバー。
【請求項３】
前記レバーは前記スライド板に対し回動自在に取り付けられ、基板実装ケースの長手方向に沿う一端側でかつ上部面にレバーを固定するためのロック機構が形成されていることを特徴とする請求項１記載の光通信用トランシーバー。
【請求項４】
前記基板実装ケースに前記バネを保護するスプリングバンドが取り付けられていることを特徴とする請求項２記載の光通信用トランシーバー。
【発明の詳細な説明】
【０００１】
【発明の属する技術分野】
本発明は、光通信ネットワークとして光の送受／受信を行う際に使用される光通信用トランシーバーに関する。
【０００２】
【従来の技術】
周知の如く、データ通信の高速・大容量化に伴って、各種の通信ネットワークへの光通信技術が導入されている。従来、光通信ネットワークとして光信号を電気信号へあるいは電気信号を光信号へ変換する際には、光の送受／受信を一体化した光通信用トランシーバーが使用されている。
【０００３】
図１１（Ａ）、（Ｂ）、図１２（Ａ）〜（Ｃ）及び図１３（Ａ）〜（Ｃ）は夫々従来の光通信用トランシーバーの説明図である。ここで、図１１（Ａ）は同トランシーバーの筒状ケースから基板実装ケースを引き出す際の斜視図、図１１（Ｂ）は引き出し後の前記基板実装ケースの斜視図を示す。また、図１２（Ａ）は前記基板実装ケースの側面図、図１２（Ｂ）は同ケースの平面図、図１２（Ｃ）は同ケースの正面図を示す。更に、図１３（Ａ）は前記筒状ケースに基板実装ケースを挿着した前記トランシーバーの側面図、図１３（Ｂ）は同トランシーバーの平面図、図１３（Ｃ）は同トランシーバーの正面図を示す。
【０００４】
前記光通信用トランシーバー１は、筒状ケース２と、この筒状ケース２の内側に挿着される基板実装ケース３と、この基板実装ケース３に取り付けられて，光信号から電気信号及び電気信号から光信号への変換を行う機能を有する回路基板４とを備えている。
【０００５】
前記筒状ケース２の下端部には、図示しない回路基板に筒状ケース２を固定するための固定用端子５が複数個設けられている。前記筒状ケース２の長手方向に沿う基板実装ケース３の脱着側には、該ケース３が挿着された際にロックされる開口部６が形成されている（図１３参照）。
【０００６】
前記基板実装ケース３は前記筒状ケース２の内側に脱着自在に挿着されるもので、図１１に示すとおりである。図１２に示すように、前記筒状ケース２の長手方向に沿う脱着側の下部には、挿着時に前記開口部６と係止するストッパー７が設けられている。また、前記基板実装ケース３の光ケーブル脱着側には、光送受信用のコネクター８ａ，８ｂが設けられ，例えばコネクター８ａが光送信用、コネクター８ｂが光受信用である。前記コネクター８ａ，８ｂには図示しない光ファイバーが接続される。また、前記基板実装ケース３の内部には、前記コネクター８ａ，８ｂと接続する前記回路基板４が配置されている。
【０００７】
従来の光通信用トランシーバー１において、基板実装ケース３の筒状ケース２への脱着は次のように行う。
１）基板実装ケース３の筒状ケース２への挿着：
基板実装ケース３を筒状ケース２の内側にコネクター８ａ，８ｂを外側に向けた状態で、基板実装ケース３に設けたストッパー７が筒状ケース２に設けた開口部６に係止するまで筒状ケース２に挿入する。但し、基板実装ケース３を再度筒状ケース２へ挿着する際には、後述するコマを事前に引き戻す動作を必要とする。
【０００８】
２）基板実装ケース３の筒状ケース２からの取り外し：
図１５（Ａ）に示すように、基板実装ケース３が筒状ケース２に挿着した状態で、基板実装ケース３と筒状ケース２間に固定解除用のコマ９の爪９ａ，９ｂを矢印Ｘの方向に差し込むことにより行う。この操作により、図１５（Ｂ）に示すように、爪９ａ，９ｂは開口部６が形成されている筒状ケース部分２ａを矢印Ｙの方向に跳ね上げる。次に、この固定解除の状態で基板実装ケース３の端部を手で把持して手前（矢印Ｘと反対方向）に引くことにより、基板実装ケース３が筒状ケース２から外れる。
【０００９】
図１６（Ａ），（Ｂ）はロック解除の様子を模式的に示す。図１６（Ａ）では、基板実装ケース３に設けたストッパー７と筒状ケース２に設けた開口部６が係止した状態にある。この後、コマ９の爪９ａ，９ｂを図１６（Ｂ）の矢印Ｘの方向に進めると、爪９ａ，９ｂが筒状ケース部分２ａを矢印Ｙの方向に押し下げられ、ストッパー７が開口部６から解除される。
【００１０】
なお、従来技術としては、例えば、特許文献１のように、ハウジングに、トランジスター等の電子機器を設けた基台をピボットブロックや取っ手からなる掛金機構を用いて挿着する電気モジュールが知られている。
【００１１】
【特許文献１】
ＵＳ６，４３９，９１８Ｂ１（第４欄５行目〜第８欄４７行目）
【００１２】
【発明が解決しようとする課題】
しかしながら、従来の光通信用トランシーバーによれば、基板実装ケース３の筒状ケース２からの着脱の際、手間がかかるという問題があった。即ち、基板実装ケース３を筒状ケース２から取り外す際には、基板実装ケース３と筒状ケース２間に固定解除用のコマ９を一旦挿着する作業が必要であるとともに、基板実装ケース３を筒状ケース２に再度挿着際には、挿着したコマ９を引き戻す作業が必要であり、その都度、基板実装ケース３の端部を持ち替える必要がある。
【００１３】
本発明はこうした事情を考慮してなされたもので、基板実装ケースと筒状ケースの嵌合部及びその周辺部に改良を施すことにより、基板実装ケースの筒状ケースへの着脱を従来と比べて著しく容易でかつ短時間でなし得る作業性に優れた光通信用トランシーバーを提供することを目的とする。
【００１４】
【課題を解決するための手段】
本発明に係る光通信用トランシーバーは、光通信ネットワークとして光信号を電気信号へあるいは電気信号を光信号へ変換する際に使用される光通信用トランシーバーにおいて、下端部に複数の固定用端子を有し、長手方向に沿う一端側の下端面にストッパー係止用開口部が形成された筒状ケースと、前記筒状ケースの内側に脱着自在に挿着され，下部に挿着時に前記開口部と係止するストッパーを有するとともに、光ケーブル脱着側に光送受信用のコネクターを有する基板実装ケースと、前記基板実装ケースに取り付けられ，光から電気及び電気から光への変換を行う機能を有する回路基板と、前記基板実装ケースの長手方向に沿う一端側の下部底面にスライド自在に取り付けられ、基板実装ケースを筒状ケースから取り外す際に前記ストッパーを前記開口部から解除する爪を有するスライド板と、このスライド板に連結するレバーとを具備し、基板実装ケースを筒状ケースに完全に挿着したときに前記ストッパーが開口部と係止してロックされ、レバーを引いたときにスライド板の爪によりストッパーが開口部から解放されるとともに基板実装ケースが筒状ケースから取り出されることを特徴とする。
【００１５】
本発明において、前記スライド板に取り付けられ，レバーを引いて基板実装ケースを筒状ケースから引き出すときに押圧され、レバーを引く力をフリーにしたとき付勢力によりスライド板を元の位置に戻すバネを備えていることが好ましい。これにより、基板実装ケースを筒状ケースから引き出すときは、バネの端部が筒状ケースの一部に当り押圧されるが、レバーを引く力をフリーにしたときは、その付勢力によりスライド板が元の位置に戻される。
【００１６】
本発明において、基板実装ケースの裏面側には、前記バネを保護する例えば断面コ字形のスプリングバンドを取り付けることが好ましい。このスプリングバンドにより、スプリングが外れることを回避できる。
【００１７】
本発明において、前記レバーは前記スライド板に対し回動自在に取り付けられ、基板実装ケースの長手方向に沿う一端側でかつ上部面にレバーを固定するためのロック機構が形成されていることが好ましい。ここで、基板実装ケースを筒状ケースに挿着後、レバーを回動してその一部をロック機構に掛けることにより、箱状の筐体にセット後の光通信用トランシーバーの外観良く保持することができる。
【００１８】
【発明の実施の形態】
以下、本発明の一実施例に係る光通信用トランシーバーについて図１〜図４を参照して説明する。ここで、図１は同トランシーバーの基板実装ケースと筒状ケースとの関係を示す斜視図、図２は前記基板実装ケースの各部品を展開した斜視図を示す。また、図３（Ａ）は前記基板実装ケースの側面図、図３（Ｂ）は同ケースの平面図、図３（Ｃ）は同ケースの正面図を示す。更に、図４（Ａ）は前記筒状ケースに基板実装ケースを挿着した前記トランシーバーの側面図、図４（Ｂ）は同トランシーバーの平面図を示す。
【００１９】
本発明に係る光通信用トランシーバー１１は、図１及び図２に示すように、筒状ケース１２と、この筒状ケース１２の内側に挿着される基板実装ケース１３と、この基板実装ケース１３に取り付けられて，光信号から電気信号及び電気信号から光信号への変換を行う機能を有する回路基板１４（図３、図４参照）と、スライド板１５と、このスライド板１５の筒状部１５ａに挿入されて連結するレバー（取っ手）１６とを備えている。
【００２０】
前記筒状ケース１２の下端部には、図９に示すように、上記回路基板１４とは異なる回路基板１７に筒状ケース１２を固定するための固定用端子１８が複数個設けられている。前記筒状ケース１２の長手方向に沿う基板実装ケース１３の脱着側には、該ケース１３が挿着された際にロックされる開口部１９が形成されている（図１参照）。
【００２１】
前記基板実装ケース１３の長手方向に沿う一端側でかつ上部面に、前記レバー１６を固定するための溝（ロック機構）２０が形成されている。前記レバー１６は前記スライド板１５に対し回動自在に取り付けられる。なお、図２中の符番２１は、後述するスプリングを抑える断面コ字形のスプリングバンドを示す。このスプリングバンド２１の上端部には、筒状ケース１３の側面の２つの凹部１３ａに夫々嵌合する凸部２１ａ，２１ａが形成されている。
【００２２】
前記基板実装ケース１３の長手方向に沿うケース挿入側の下部には、該ケース１３を筒状ケース１２に挿着した際、前記開口部１９と係止する突起状のストッパー２２が設けられている。また、前記基板実装ケース１３の内側には、光ケーブル脱着側（外側）に光送受信用のコネクター２３ａ，２３ｂが設けられている。ここで、コネクター２３ａは光送信用、コネクター２３ｂは光受信用である。前記コネクター２３ａ，２３ｂには図示しない光ファイバーが接続される。
【００２３】
前記スライド板１５の裏面には、「ハ」の字状のバネ２４の一部がケース１３の引き出し側に末広がりに固定されている。前記バネ２４は、レバー１６を引いて基板実装ケース１３を筒状ケース１２から引き出すときに押圧され、レバー１６を引く力をフリーにしたとき付勢力によりスライド板１５を元の位置に戻す機能を有している。また、前記スライド板１５のレバー１６と反対側には、レバー１６を引いたとき前記ストッパー２２を前記開口部１９から解除させる爪２５ａ，２５ｂが設けられている。
【００２４】
次に、上記光通信用トランシーバー１１において、基板実装ケース１３の筒状ケース１２への脱着は、図５、図６、図７、図８のように行う。ここで、図５（Ａ）〜（Ｅ）は基板実装ケースの筒状ケースへの脱着を工程順に示す斜視図、図６（Ａ）〜（Ｃ）は基板実装ケースの筒状ケースへの脱着を筒状ケース無しに工程順に示す裏面側から見た概略斜視図、図７（Ａ）、（Ｂ）は基板実装ケースの筒状ケースからの解除を工程順に示す裏面側から見た概略斜視図を示す。また、図８（Ａ）、（Ｂ）は上記脱着ときのスライド板と筒状ケースとの関係を要部を拡大して示す図である。
【００２５】
１）基板実装ケース１３の筒状ケース１２への挿着：
図１に示すような状態から、コネクター２３ａ，２３ｂを外側にした状態で筒状ケース１２の内側に、基板実装ケース１３を矢印Ｘのように筒状ケース１２に挿入する。最後まで挿入することにより、スライド板１５に設けたストッパー２２が筒状ケース１２に設けた開口部１９に係止し、基板実装ケース１３が筒状ケース１２にロックされる。
【００２６】
２）基板実装ケース１３の筒状ケース１２からの取り外し：
まず、図５（Ａ）、図６（Ａ）及び図７（Ａ）の状態から、レバー１６を矢印Ｘのように倒す（図５（Ｂ）参照）。なお、レバー１６を単に倒した状態のとき、スライド板１５のストッパー２２と筒状ケース１２の開口部１９との関係は図８（Ａ）のように、ロックされた状態にある。
【００２７】
次に、レバー１６を図５（Ｃ）のように矢印Ｙのように引いた後、更に図５（Ｄ）、図６（Ｂ）、図７（Ｂ）のように引く。これにより、スライド板１５に設けた爪２５ａ，２５ｂは開口部１９が形成された筒状ケース部分を図８（Ｂ）のように矢印Ｙのように引き下げ、ストッパー２２が開口部１９からロック解除される。
【００２８】
なお、基板実装ケース１３を再度筒状ケース１２に挿着する際は、例えば図５（Ｅ）に示すような状態で最後まで押し込めればよい。これにより、図６（Ｃ）に示すように、スライド板１５のストッパー２２が筒状ケース１２の開口部１９にロックされる。
【００２９】
上述したように、上記実施例に係る光通信用トランシーバーは、下端部に複数の固定用端子１８を有し、長手方向に沿う一端側の下端面にストッパー係止用開口部１９が形成された筒状ケース１２と、この筒状ケース１２の内側に脱着自在に挿着され，下部に挿着時に前記開口部１２と係止するストッパー２２を有するとともに、光ケーブル脱着側に光送受信用のコネクター２３ａ，２３ｂを有する基板実装ケース１３と、この基板実装ケース１３に取り付けられ，光信号から電気信号及び電気信号から光信号への変換を行う機能を有する回路基板１４と、前記基板実装ケース１３の長手方向に沿う一端側の下部底面にスライド自在に取り付けられ、基板実装ケース１３を筒状ケース１２から取り外す際に前記ストッパー２２を前記開口部１９から解除する爪２５ａ，２５ｂを有するスライド板１５と、このスライド板１５に連結するレバー１６とを具備し、基板実装ケース１３を筒状ケース１２に完全に挿着したときに前記ストッパー２２が開口部１９と係止してロックされ、レバー１６を引いたときにスライド板１５の爪２５ａ、２５ｂによりストッパー２２が開口部１９から解放されるとともに基板実装ケース１３が筒状ケース１２から取り出される構成となっている。
【００３０】
こうした光通信用トランシーバーによれば、以下に述べる効果を有する。
１）スライド板１５のレバー１６を引くことにより、スライド板１５の爪２５ａ，２５ｂが筒状ケース１２の開口部周辺部分を押し下げ、これにより開口部１９にロックされたストッパー２２が解除される。同時に、基板実装ケース１３が筒状ケース１２から簡単に外すことができる。また、レバー１６を筒状ケース１２側に押すだけで、ストッパー２２が開口部１９にロックされ、同時に基板実装ケース１３を筒状ケース１２に簡単に挿着することができる。このように、レバー１６を引いたり、押すのみで基板実装ケース１３の筒状ケースへの脱着を行うことができ、従来のように基板実装ケースの筒状ケースへの脱着に際して固定解除用のコマを挿着したり、引き戻す作業がない。従って、従来の光通信用トランシーバーに比べて、作業性を著しく改善することができる。
【００３１】
２）スライド板１５の裏面に「ハ」の字状のバネ２４を基板実装ケース１３の引き出し側に末広がりに固定して設けている。従って、基板実装ケース１３を筒状ケース１２から引き出すときは、バネ２４の端部が筒状ケース１２の一部に当り押圧され、レバー１６を引く力をフリーにしたときに、その付勢力によりスライド板１５が元の位置に戻される。
【００３２】
３）基板実装ケース１３の裏面側に前記バネ２４を保護する断面コ字形のスプリングバンド２１が設けられているため、スプリング２１が外れることを回避できる。
【００３３】
４）前記レバー１６をスライド板１５に対し回動自在に取り付け、基板実装ケース１３の長手方向に沿う一端側でかつ上部面にレバー１６を固定するための溝２０が形成されている。従って、基板実装ケース１３を筒状ケース１２に挿着後、レバー１６を回動してその一部を溝２０に掛けることにより、例えば図１０に示すように、箱状の筐体２６にセット後の光通信用トランシーバー１１の外観を良好に保持することができる。
【００３４】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合せてもよい。
【００３５】
【発明の効果】
以上詳述したように本発明によれば、基板実装ケースと筒状ケースの嵌合部及びその周辺部に改良を施すことにより、基板実装ケースの筒状ケースへの着脱を従来と比べて著しく容易でかつ短時間でなし得る作業性に優れた光通信用トランシーバーを提供できる。
【図面の簡単な説明】
【図１】本発明の一実施例に係る光通信用トランシーバーを構成する筒状ケースと基板実装ケースの説明図。
【図２】図１のトランシーバーを構成する基板実装ケースの展開図。
【図３】図１のトランシーバーを構成する基板実装ケースの説明図。
【図４】図１のトランシーバーの説明図。
【図５】図１のトランシーバーにおける基板実装ケースの筒状ケースへの脱着の説明図。
【図６】図１のトランシーバーにおいて、基板実装ケースの筒状ケースへの脱着を筒状ケース無しに工程順に示す裏面側から見た概略斜視図。
【図７】図１のトランシーバーにおいて、基板実装ケースの筒状ケースからの解除を工程順に示す裏面側から見た概略斜視図。
【図８】図１のトランシーバーにおいて、基板実装ケースの筒状ケースに対する脱着ときのスライド板と筒状ケースとの関係を要部を拡大して示す図。
【図９】図１のトランシーバーを回路基板に実装した場合の説明図。
【図１０】図１のトランシーバーのセット状態の説明図。
【図１１】従来の光通信用トランシーバーの説明図
【図１２】図１１のトランシーバーを構成する基板実装ケースの展開図。
【図１３】図１１のトランシーバーの説明図。
【図１４】図１１のトランシーバーを構成する基板実装ケースにコマを挿着する場合の説明図。
【図１５】図１１のトランシーバーにコマを挿着して基板実装ケースを筒状ケースからロック解除する場合の説明図。
【図１６】図１１のトランシーバーにおいて、基板実装ケースの筒状ケースに対する脱着ときのスライド板と筒状ケースとの関係を要部を拡大して示す図。
【符号の説明】
１１…光通信用トランシーバー、                    １２…筒状ケース、  １３…基板実装ケース、  １４，１７…回路基板、    １５…スライド板、  １６…レバー、          １８…固定用端子、        １９…開口部、  ２０…溝（ロック機構）、２１…スプリングバンド、  ２２…ストッパー、  ２３ａ，２３ｂ…コネクター、  ２４…スプリング、  ２５ａ，２５ｂ…爪。
【図１】
2005033542.tif 000003
【図２】
2005033542.tif 000004
【図３】
2005033542.tif 000005
【図４】
2005033542.tif 000006
【図５】
2005033542.tif 000007
【図６】
2005033542.tif 000008
【図７】
2005033542.tif 000009
【図８】
2005033542.tif 000010
【図９】
2005033542.tif 000011
【図１０】
2005033542.tif 000012
【図１１】
2005033542.tif 000013
【図１２】
2005033542.tif 000014
【図１３】
2005033542.tif 000015
【図１４】
2005033542.tif 000016
【図１５】
2005033542.tif 000017
【図１６】
2005033542.tif 000018